(57)【要約】【課題】本発明は、差動変圧器の零位置調整を行う位置調整機構を筒状ケース内に配設し、零位置調整を簡単に行なうことである。【解決手段】本発明による位置調整機構付差動変圧器及びその位置調整方法は、筒状ケース(1)内の固定チューブ体(20)の外周に巻線(2)を有する筒状ボビン(23)を可動式に設け、前記筒状ケース(1)内にねじ部(26)を介して螺合させたナット(27)を前記筒状ボビン(23)にワッシャ(28)を介して当接させ、前記ナット(27)の回転によって前記筒状ボビン(23)を直動させることにより、零位置調整を行うようにした構成と方法である。【選択図】図１
2016188797.tif 000002
【特許請求の範囲】
【請求項１】
筒状ケース(1)の一端側(1a)に固定され筒状延長部(20a)を有する固定チューブ体(20)と、前記筒状延長部(20a)内に設けられたプローブ(10)と、前記筒状延長部(20a)の外周に作動自在に設けられ巻線(2)を有する筒状ボビン(23)と、前記筒状ボビン(23)と前記固定チューブ体(20)の段部(24)との間に設けられ前記筒状ボビン(23)を前記筒状ケース(1)の他端側(1b)へ付勢するための弾性体(25)と、前記筒状ケース(1)の前記他端側(1b)に設けられたねじ部(26)付きの開口(14a)と、前記筒状ケース(1)内の他端側(1b)に設けられ前記開口(14a)に螺合するナット(27)と、前記筒状ボビン(23)と前記ナット(27)との間に設けられたワッシャ(28)と、を備え、前記ナット(27)、前記開口(14a)及びワッシャ(28)により位置調整機構(60)を形成し、前記ナット(27)の回動により前記筒状ボビン(23)を直線移動させる構成としたことを特徴とする位置調整機構付差動変圧器。
【請求項２】
前記固定チューブ体(20)に設けられたガイドピン(41)は、前記筒状ボビン(23)のスリット(42)と係合し、前記筒状ボビン(23)の回転止めと直動ガイドが前記ガイドピン(41)と前記スリット(42)で行われる構成としたことを特徴とする請求項１記載の位置調整機構付差動変圧器。
【請求項３】
前記筒状ケース(1)の内面(1c)には、筒状をなす磁気シールド板(33)が設けられ、前記巻線(2)から発生する磁束の前記筒状ケース(1)外への漏れを防止することを特徴とする請求項１又は２に記載の位置調整機構付差動変圧器。
【請求項４】
筒状ケース(1)の一端側(1a)に固定され筒状延長部(20a)を有する固定チューブ体(20)と、前記筒状延長部(20a)内に設けられたプローブ(10)と、前記筒状延長部(20a)の外周に作動自在に設けられ巻線(2)を有する筒状ボビン(23)と、前記筒状ボビン(23)と前記固定チューブ体(20)の段部(24)との間に設けられ前記筒状ボビン(23)を前記筒状ケース(1)の他端側(1b)へ付勢するための弾性体(25)と、前記筒状ケース(1)の前記他端側(1b)に設けられたねじ部(26)付きの開口(14a)と、前記筒状ケース(1)内の他端側(1b)に設けられ前記開口(14a)に螺合するナット(27)と、前記筒状ボビン(23)と前記ナット(27)との間に設けられたワッシャ(28)と、を備え、前記ナット(27)、前記開口(14a)及びワッシャ(28)により位置調整機構(60)を形成し、前記ナット(27)の回動により前記筒状ボビン(23)を直線移動させることを特徴とする位置調整機構付差動変圧器の位置調整方法。
【請求項５】
前記固定チューブ体(20)に設けられたガイドピン(41)は、前記筒状ボビン(23)のスリット(42)と係合し、前記筒状ボビン(23)の回転止めと直動ガイドが前記ガイドピン(41)と前記スリット(42)で行われるようにしたことを特徴とする請求項４記載の位置調整機構付差動変圧器の位置調整方法。
【請求項６】
前記筒状ケース(1)の内面(1c)には、筒状をなす磁気シールド板(33)が設けられ、前記巻線(2)から発生する磁束の前記筒状ケース(1)外への漏れを防止することを特徴とする請求項４又は５に記載の位置調整機構付差動変圧器の位置調整方法。
【発明の詳細な説明】
【技術分野】
【０００１】
本発明は、位置調整機構付差動変圧器に関し、特に、作動差動変圧器を装置に取り付ける際に必要とする基準位置（零点位置）を合わせるための位置調整機構を、差動変圧器のケース内に内蔵させるための新規な改良に関する。
【背景技術】
【０００２】
従来、用いられていたこの種の位置調整機構付差動変圧器としては、例えば、図５から図８で示される特許文献１に開示された構成を挙げることができる。
すなわち、図５から図７において符号１で示されるものは、周知の差動変圧器を構成するための長手形状のケースであり、このケース１の内側には筒状をなす検出巻線２が設けられている。このケース１の一端１ａ側は第１部材３に形成された孔４を貫通して保持されており、このケース１に形成された鍔部５が前記第１部材３の内側に当接し、このケース１と一体に形成された第１ねじ部６はこの孔４の外方に突出して位置している。この第１ねじ部６の径Ｄ１は前記孔４の内径Ｄ２よりも十分に大きく形成され、かつ、この孔４の内面にはねじ部等は何ら形成されていないため、前記第１ねじ部６は前記孔４を容易に貫通できるように構成されている。前記第１ねじ部６の外方位置には筒状の案内部７が一体に形成され、この案内部７内を貫通して前記検出巻線２のリード線２ａが外部に導出されている。さらに、この第１ねじ部６に螺合された第１ナット８を締めると、第１ナット８が第１部材３に固定され、ケース１が第１部材３に固定されている。
【０００３】
前記ケース１内でかつ検出巻線２内に出入自在に設けられた非円形プローブ１０のコア１１は検出巻線２のストロークに対応して直線移動できるように構成されている。前記ケース１の端部１ｂには、図７で示すように非円形の孔１２ａ（図では６角であるが他の形状も可）を有する非円形ガイド部１２が設けられ、この孔１２ａには前記非円形プローブ１０が作動自在に貫通しており、この非円形プローブ１０の断面形状も前記孔１２ａにならう６角形状の非円形に形成されている。この孔１２ａ及び非円形プローブ１０の形状は、非円形であればよく、６角形に限るものではない。
【０００４】
前記非円形プローブ１０の先端には第２ねじ部１１が形成され、この第２ねじ部１３は前記第１部材３と対向配置の第２部材１４のねじ孔１４ａに螺入され、この第２部材１３を貫通した第２ねじ部１３には第２ナット１５が螺合されている。
【０００５】
次に動作について述べる。まず、図５の状態で、各ナット８,１５をゆるめ、ケース１と第１部材３との固定を解除した後、ケース１のみを左右何れかの方向に回転させると、非円形プローブ１０がつれ回りするため、第１ねじ部１３が第２部材１４に対して出入し、コア１１と検出巻線２との相対位置が変わり、差動変圧器の電気的零位置（図８で示す）を検出して位置出しを行うことができる。また、この零位置の位置出しが行われた状態で、各ナット８,１５を締めて、ケース１と第１部材を固定すると共に、非円形プローブ１０を第２部材１４と固定した後、各部材３,１４の一方もしくは両方を移動させることにより、各部材３，１４の位置又はその間の位置の検出を行うことができる。
【先行技術文献】
【特許文献】
【０００６】
【特許文献１】特開平１０−１７０２０９号公報
【発明の概要】
【発明が解決しようとする課題】
【０００７】
従来の位置調整機構付差動変圧器は、以上のように構成されていたため、次のような課題が存在していた。
すなわち、第１部材３にねじ固定したケース１内に出入り自在に設けられた非円形プローブ１０の端部に形成した第２ねじ部１３を第２部材１４に螺入しなければならず、差動変圧器の零調整（基準点の位置合わせ）を行うためには、ケース１自体を回転させなければならず、装置に対する差動変圧器の取り付けには多大の時間と労力とを必要としていた。
【０００８】
本発明は、以上のような課題を解決するためになされたもので、特に、作動差動変圧器を装置に取り付ける際に必要とする基準位置合わせの位置調整機構を、差動変圧器のケース内に内蔵させた位置調整機構付差動変圧器を提供することを目的とする。
【課題を解決するための手段】
【０００９】
本発明による位置調整機構付差動変圧器は、筒状ケースの一端側に固定され筒状延長部を有する固定チューブ体と、前記筒状延長部内に設けられたプローブと、前記筒状延長部の外周に作動自在に設けられ巻線を有する筒状ボビンと、前記筒状ボビンと前記固定チューブ体の段部との間に設けられ前記筒状ボビンを前記筒状ケースの他端側へ付勢するための弾性体と、前記筒状ケースの前記他端側に設けられたねじ部付きの開口と、前記筒状ケース内の他端側に設けられ前記開口に螺合するナットと、前記筒状ボビンと前記ナットとの間に設けられたワッシャと、を備え、前記ナット、前記開口及びワッシャにより位置調整機構を形成し、前記ナットの回動により前記筒状ボビンを直線移動させる構成であり、また、前記固定チューブ体に設けられたガイドピンは、前記筒状ボビンのスリットと係合し、前記筒状ボビンの回転止めと直動ガイドが前記ガイドピンと前記スリットで行われる構成であり、また、前記筒状ケースの内面には、筒状をなす磁気シールド板が設けられ、前記巻線から発生する磁束の前記筒状ケース外への漏れを防止する構成であり、また、本発明による位置調整機構付差動変圧器の位置調整方法は、筒状ケースの一端側に固定され筒状延長部を有する固定チューブ体と、前記筒状延長部内に設けられたプローブと、前記筒状延長部の外周に作動自在に設けられ巻線を有する筒状ボビンと、前記筒状ボビンと前記固定チューブ体の段部との間に設けられ前記筒状ボビンを前記筒状ケースの他端側へ付勢するための弾性体と、前記筒状ケースの前記他端側に設けられたねじ部付きの開口と、前記筒状ケース内の他端側に設けられ前記開口に螺合するナットと、前記筒状ボビンと前記ナットとの間に設けられたワッシャと、を備え、前記ナット、前記開口及びワッシャにより位置調整機構を形成し、前記ナットの回動により前記筒状ボビンを直線移動させる方法であり、また、前記固定チューブ体に設けられたガイドピンは、前記筒状ボビンのスリットと係合し、前記筒状ボビンの回転止めと直動ガイドが前記ガイドピンと前記スリットで行われるようにした方法であり、また、前記筒状ケースの内面には、筒状をなす磁気シールド板が設けられ、前記巻線から発生する磁束の前記筒状ケース外への漏れを防止する方法である。
【発明の効果】
【００１０】
本発明による位置調整機構付差動変圧器及びその位置調整方法は、以上のように構成されているため、次のような効果を得ることができる。
すなわち、筒状ケースの一端側に固定され筒状延長部を有する固定チューブ体と、前記筒状延長部内に設けられたプローブと、前記筒状延長部の外周に作動自在に設けられ巻線を有する筒状ボビンと、前記筒状ボビンと前記固定チューブ体の段部との間に設けられ前記筒状ボビンを前記筒状ケースの他端側へ付勢するための弾性体と、前記筒状ケースの前記他端側に設けられたねじ部付きの開口と、前記筒状ケース内の他端側に設けられ前記開口に螺合するナットと、前記筒状ボビンと前記ナットとの間に設けられたワッシャと、を備え、前記ナット、前記開口及びワッシャにより位置調整機構を形成し、前記ナットの回動により前記筒状ボビンを直線移動させる構成としたことにより、ケース内のナットを回動させるのみで筒状ボビンを直動させ、プローブに対する巻線の零点位置調整ができ、システム全体を小型化させ、ユーザー側に手間をかけることなく、位置調整が簡単にできる。
また、前記固定チューブ体に設けられたガイドピンは、前記筒状ボビンのスリットと係合し、前記筒状ボビンの回転止めと直動ガイドが前記ガイドピンと前記スリットで行われる構成としたことにより、筒状ボビンの直動を円滑に行うことができる。
また、前記筒状ケースの内面には、筒状をなす磁気シールド板が設けられ、前記巻線から発生する磁束の前記筒状ケース外への漏れを防止することにより、装置へ取付けた時の他の機器への磁気的な影響を防止することができる。
【図面の簡単な説明】
【００１１】
【図１】本発明による位置調整機構付差動変圧器を示す断面図である。
【図２】図１の左側面図である。
【図３】図１の右側面図である。
【図４】図１のプローブを示す正面図である。
【図５】従来構成を示す一部断面構成図である。
【図６】図５の要部の切欠き断面図である。
【図７】図６のガイド部の拡大側面図である。
【図８】図５の構成のプローブの零位置を示す出力電圧の特性図である。
【発明を実施するための形態】
【００１２】
本発明による位置調整機構付差動変圧器及びその位置調整方法は、差動変圧器を装置に取り付ける際に必要とする基準位置（零点位置）合わせの位置調整機構を、差動変圧器のケース内に内蔵させることにより、全体を小型化し、かつ、位置調整を容易化することである。
【実施例】
【００１３】
以下、図面と共に本発明による位置調整機構付差動変圧器及びその位置調整方法の好適な実施の形態について説明する。
尚、従来例と同一又は同等部分には、同一符号を付して説明する。
図１において、符号１で示されるものは、非磁性材で形成された筒状ケースであり、前記筒状ケース１内の一端側１ａには、筒状延長部２０ａを有する固定チューブ体２０が接着剤２１によって固定されており、前記固定チューブ体２０と前記一端側１ａとの間に第１Ｏリング２２が設けられている。
【００１４】
前記筒状延長部２０ａの外周には、全体形状が筒状をなし励磁を行うための図示しない一次巻線と検出を行う二次巻線とからなる巻線２を有する筒状ボビン２３が矢印Ａに沿って直動自在に遊嵌されており、前記筒状ボビン２３の一端２３ａと前記固定チューブ体２０の段部２４との間には、スプリング等よりなる弾性体２５が介装されていると共に前記筒状ボビン２３は、前記筒状ケース１の他端側１ｂへ向けて常時付勢されている。
【００１５】
前記筒状ケース１の前記他端側１ｂの開口１４ａに形成されたねじ部２６には、断面カップ型をなすナット２７が軸方向である矢印Ａ方向に沿って直動可能に螺入されており、前記ナット２７の先端面２７ａはワッシャ２８を介して前記筒状ボビン２３に当接している。
【００１６】
前記ナット２７の前記先端面２７ａ側には、複数の凹部２９が形成されることにより前記ナット２７の重量を軽減することができるように構成されている。
さらに、前記ナット２７の後端面２７ｂには、図３にも示されているように、その直径方向Ｂに沿って互いに離間するように一対の治具孔３０が形成されており、前記各治具孔３０に対して、例えば、図示しない二又状の構成からなる治具を前記治具孔３０に挿入して回転させることにより、前記ナット２７を出入自在とすることができる。
尚、前述のナット２７、開口１４ａ及びワッシャ２８により、位置調整機構６０を形成している。
【００１７】
前記ナット２７の外周に形成された輪状凹部３１内には、第２Ｏリング３２が設けられており、前記Ｏリング３２の外面は前記筒状ケース１の内面１ｃに摺接している。
また、前記筒状ケース１の内面１ｃには、前記筒状ボビン２３の各巻線２の外周２ａに対応する状態で円筒状をなす磁気シールド板３３が接着剤３４によって貼着され、前記各巻線２から発生する磁束が前記筒状ケース１外への漏れが、前記磁気シールド板３３によって防止されるように構成されている。
【００１８】
前記筒状ケース１の一端側１ａの外方からは、図２で示されるように、一個のカシメ部４０が形成されていることにより、前記筒状ケース１は前記固定チューブ体２０と一体状に構成されている。
前記固定チューブ体２０に固設され前記軸方向Ａに沿って延接されたガイドピン４１は、前記筒状ボビン２３の前記一端２３ａに形成され前記軸方向Ａに沿って延接されたスリット４２内に係合していることにより、前記筒状ボビン２３の直動時における回転を防止するように構成されている。
【００１９】
次に、前述の構成において、図１の位置調整機構付差動変圧器５０を作動させる場合について説明する。
まず、図１の状態に組立てられた前記位置調整機構付差動変圧器５０の前記固定チューブ体２０の前端２０Ａを相手装置の被取付け部材５１に図示しないねじ等で取付け、前記プローブ１０を前記相手装置の被検出軸(図示せず)に接続した状態で、リード線５２に図示しない検査装置を接続し、前記巻線２に励磁電圧を印した状態において前記ナット２７を回転させると、前記筒状ボビン２３が軸方向Ａに沿って前進又は後進する。
【００２０】
前述の状態で、前記検査装置によって、前述の図８の出力電圧Ｖｒｍｓが零位置Ｖ０と一致するまで前記ナット２７によって零位置調整すなわち原点位置調整し、零位置Ｖ0に一致した状態で前記ナット２７をテープ(図示せず)で筒状ケース１に固定することで出荷が可能となる。
【００２１】
本発明による前述の位置調整機構付差動変圧器及びその位置調整方法の要旨とするところは、以下の通りである。
すなわち、筒状ケース１の一端側１ａに固定され筒状延長部２０ａを有する固定チューブ体２０と、前記筒状延長部２０ａ内に設けられたプローブ１０と、前記筒状延長部２０ａの外周に作動自在に設けられ巻線２を有する筒状ボビン２３と、前記筒状ボビン２３と前記固定チューブ体２０の段部２４との間に設けられ前記筒状ボビン２３を前記筒状ケース１の他端側１ｂへ付勢するための弾性体２５と、前記筒状ケース１の前記他端側１ｂに設けられたねじ部２６付きの開口１４ａと、前記筒状ケース１内の他端側１ｂに設けられ前記開口１４ａに螺合するナット２７と、前記筒状ボビン２３と前記ナット２７との間に設けられたワッシャ２８と、を備え、前記ナット２７、前記開口１４ａ及びワッシャ２８により位置調整機構６０を形成し、前記ナット２７の回動により前記筒状ボビン２３を直線移動させる構成及び方法であり、また、前記固定チューブ体２０に設けられたガイドピン４１は、前記筒状ボビン２３のスリット４２と係合し、前記筒状ボビン２３の回転止めと直動ガイドが前記ガイドピン４１と前記スリット４２で行われる構成及び方法であり、また、前記筒状ケース１の内面１ｃには、筒状をなす磁気シールド板３３が設けられ、前記巻線２から発生する磁束の前記筒状ケース１外への漏れを防止する構成と方法である。
【産業上の利用可能性】
【００２２】
本発明による位置調整機構付差動変圧器及びその位置調整方法は、差動変圧器の筒状ケース内に設けられ巻線を有する筒状ボビンをナットの回転で軸方向に沿って前後動できるため、差動変圧器を装置に取付けた後でも、簡単に零位置調整を行うことができる。
【符号の説明】
【００２３】
１    筒状ケース
１ａ    一端側
１ｂ    他端側
１ｃ    内面
２    巻線
２ａ    外周
１０    プローブ
１４ａ    開口
２０    固定チューブ体
２０Ａ    前端
２０ａ    筒状延長部
２１    接着剤
２２    第１Ｏリング
２３    筒状ボビン
２３ａ    一端
２４    段部
２５    弾性体
２６    ねじ部
２７    ナット
２７ａ    前端面
２７ｂ    後端面
２８    ワッシャ
２９    凹部
３０    治具孔
３２    第２Ｏリング
３３    磁気シールド板
４０    カシメ部
４１    ガイドピン
４２    スリット
５０    位置調整機構付差動変圧器
５１    被取付け部材
５２    リード線
６０    位置調整機構
Ａ    軸方向
Ｂ    直径方向
【図１】
2016188797.tif 000003
【図２】
2016188797.tif 000004
【図３】
2016188797.tif 000005
【図４】
2016188797.tif 000006
【図５】
2016188797.tif 000007
【図６】
2016188797.tif 000008
【図７】
2016188797.tif 000009
【図８】
2016188797.tif 000010